【事件の表示】
　特許第３０７４４５９号「嵌合離脱感知用同軸コンタクト構造」の請求項１、２に係る特許に対する特許異議の申立てについて、次のとおり決定する。
【結　論】
　特許第３０７４４５９号の請求項１及び２に係る特許を維持する。
【理　由】
１．本件発明
　本件特許第３０７４４５９号（平成８年１月２９日出願、平成１２年６月９日設定登録）の請求項１及び２に係る発明（以下、「本件発明１及び２」という。）は、特許明細書及び図面の記載からみて、それぞれ、特許請求の範囲の請求項１及び２に記載された次のとおりのものと認める。
「【請求項１】　同軸レセプタクルコネクタに設けられるレセプタクル側同軸外部コンタクトと、同軸プラグコネクタに設けられ、前記レセプタクル側同軸外部コンタクトと接触して導通するプラグ側同軸外部コンタクトとを含む同軸コンタクト構造において、前記レセプタクル側同軸外部コンタクトに切取部が形成され、該レセプタクル側同軸外部コンタクトと接触しないように該レセプタクル側同軸外部コンタクトの近傍に嵌合離脱検出コンタクトが備えられ、該嵌合離脱検出コンタクトは、前記切取部内に配置される接触部を有し、前記プラグ側同軸外部コンタクトは、該プラグ側同軸外部コンタクトの径方向で互いに対向する第１及び第２の接触用ばね片を有し、前記第１の接触用ばね片は、前記同軸プラグコネクタが前記同軸レセプタクルコネクタに嵌合する時に前記切取部内にある前記接触部に摺接すると共に、前記同軸プラグコネクタが前記同軸レセプタクルコネクタに嵌合した状態にある時に前記切取部内にある前記接触部に接触し導通するように構成され、前記第２の接触用ばね片は、前記同軸プラグコネクタが前記同軸レセプタクルコネクタに嵌合した状態にある時に前記レセプタクル側同軸外部コンタクトに接触し導通するように構成されていることを特徴とする嵌合離脱感知用同軸コンタクト構造。
　【請求項２】　前記嵌合離脱検出コンタクトの接触部は、前記プラグ側同軸外部コンタクトの第１の接触用ばね片と接触し導通する第３の接触用ばね片を有することを特徴とする請求項１記載の嵌合離脱感知用同軸コンタクト構造。」
　
２．申立ての理由の概要
　異議申立人・近藤直樹は、甲第１号証として実願昭５３−１３３９９４号（実開昭５５−５０５０４号）のマイクロフィルムを、甲第２号証として実願昭５９−１０９４９９号（実開昭６１−２４９８３号）のマイクロフィルムを、そして甲第３号証として特開平９−１６１８９１号公報を、それぞれ提出し、本件発明１及び２は、甲第１号証及び甲第２号証に記載の発明に基いて当業者が容易に発明をすることができたものであるから、特許法第２９条第２項の規定により特許を受けることができないものであり、また、本件発明１及び２は、甲第３号証に係る出願（特願平７−３１９１５０号）の願書に最初に添付した明細書又は図面（以下、「先願明細書」という。）に記載された発明と同一であって、同法第２９条の２の規定により特許を受けることができないものであるから、本件発明１及び２についての特許は、同法第１１３条第１項第２号に該当し、取り消されるべきものである旨主張している。
　
３．甲第１、２号証及び先願明細書に記載の発明
［３−１］甲第１号証には、つぎの発明が記載されている。
　ジャック（本件発明１における「同軸レセプタクルコネクタ」に対応する。以下、括弧内は本件発明１における対応部分を示す。）の外部に設けられるジャック側アース電極８（レセプタクル側同軸外部コンタクト）と、ピン（同軸プラグコネクタ）の外部に設けられ、前記ジャック側アース電極８と接触して導通するピン側アース電極４（プラグ側同軸外部コンタクト）とを含む入出力端子（同軸コンタクト構造）において、前記ジャック側アース電極８に分割部（切取部）が形成され、該ジャック側アース電極８と接触しないように該ジャック側アース電極８の近傍に電極片１０（嵌合離脱検出コンタクト）が備えられ、該電極片１０は、前記分割部内に配置される接触部を有し、前記ピン側アース電極４は、前記ピンが前記ジャックに嵌合する時に前記分割部内にある前記接触部に摺接すると共に、前記ピンが前記ジャックに嵌合した状態にある時に前記分割部内にある前記接触部に接触し導通するように構成され、前記ピンが前記ジャックに嵌合した状態にある時に前記ジャック側アース電極８に接触し導通するように構成されている電気的接続検出用入出力端子（嵌合離脱感知用同軸コンタクト構造）。
［３−２］甲第２号証には、つぎの発明が記載されている。
　ピン１３（同軸プラグコネクタ）の外部に設けられた導電性金属製のコネクタ部３（プラグ側同軸外部コンタクト）を含む同軸ケーブル１用のピンプラグにおいて、前記コネクタ部３の先端寄り所定位置を内向きに抜起して、ピン１３を包囲する絶縁材製のボディ２をコネクタ部３の後方から挿入、係合する際の、ボディ２用のストッパ３６を形成するようにしたピンプラグ。
［３−３］先願明細書には、つぎの発明が記載されている。
　同軸レセプタクルコネクタ３（同軸レセプタクルコネクタ）に設けられるレセプタクル側同軸外部コンタクト３１（レセプタクル側同軸外部コンタクト）と、同軸プラグコネクタ５（同軸プラグコネクタ）に設けられ、前記レセプタクル側同軸外部コンタクト３１と接触して導通するプラグ側同軸外部コンタクト５０（プラグ側同軸外部コンタクト）とを含む同軸コネクタ（同軸コンタクト構造）において、前記レセプタクル側同軸外部コンタクト３１に切取部３１ｃ（切取部）が形成され、該レセプタクル側同軸外部コンタクト３１と接触しないように該レセプタクル側同軸外部コンタクト３１の近傍に嵌合離脱検出コンタクト３２（嵌合離脱検出コンタクト）が備えられ、該嵌合離脱検出コンタクト３２は、前記切取部３１ｃ内に配置される接触ばね片３２ｂ（接触部）を有し、前記プラグ側同軸外部コンタクト５０は、前記同軸プラグコネクタ５が前記同軸レセプタクルコネクタ３に嵌合する時に前記切取部３１ｃ内にある前記接触ばね片３２ｂに摺接すると共に、前記同軸プラグコネクタ５が前記同軸レセプタクルコネクタ３に嵌合した状態にある時に前記切取部３１ｃ内にある前記接触ばね片３２ｂに接触し導通するように構成され、前記同軸プラグコネクタ５が前記同軸レセプタクルコネクタ３に嵌合した状態にある時に前記レセプタクル側同軸外部コンタクト３１の接触部３１ａにおける接触ばね部に接触し導通するように構成されている嵌合離脱感知機能を有する同軸コネクタ（嵌合離脱感知用同軸コンタクト構造）。
　
４．対比・判断
［４−１］本件発明１について
　本件発明１と上記甲第１、２号証及び上記先願明細書に記載の各発明とを対比すると、後者のいずれにも、前者の構成に欠くことのできない事項である、「プラグ側同軸外部コンタクトは、該プラグ側同軸外部コンタクトの径方向で互いに対向する第１及び第２の接触用ばね片を有し、前記第１の接触用ばね片は、同軸プラグコネクタが同軸レセプタクルコネクタに嵌合する時に切取部内にある接触部に摺接すると共に、前記同軸プラグコネクタが前記同軸レセプタクルコネクタに嵌合した状態にある時に前記切取部内にある前記接触部に接触し導通するように構成され、前記第２の接触用ばね片は、前記同軸プラグコネクタが前記同軸レセプタクルコネクタに嵌合した状態にある時にレセプタクル側同軸外部コンタクトに接触し導通するように構成されている」点、について記載されておらず、また、かかる構成を示唆する記載もない。
　そして、本件発明１は、上記の構成を有することにより、『接触部３２ｂと第１の接触用ばね片５１ａは、嵌合方向に延在するので、同軸レセプタクルコネクタ３と同軸プラグコネクタ５の嵌合離脱時に、互いに摺接し、ワイピング効果を生じる。従って、嵌合離脱検出コンタクト３２とプラグ側同軸外部コンタクト５１との間の接触が常に確実に行われる。又、接触部３２ｂと第１の接触用ばね片５１ａ間の接触及び離脱は、同軸プラグコネクタ５の同軸レセプタクルコネクタ３に対する嵌合離脱と共に行われ、接触部３２ｂと第１の接触用ばね片５１ａ間の接触及び離脱のための特別な機構を必要としない。従って、構成が簡単であるので、動作不良の要因となるものが少ない。第２の接触用ばね片５１ｂは、レセプタクル側同軸外部コンタクト３１の接触部３１ａに接触し導通する。』（特許公報第３頁第５欄第４９行〜第６欄第１２行参照）、という効果を奏するものと認められる。
　それ故、本件発明１が、上記甲第１及び２号証のいずれかに記載された発明であるとも、また、それらの発明に基いて当業者が容易に発明をすることができたものであるとも、さらに、上記先願明細書に記載の発明と同一であるとも認めることはできない。
［４−２］本件発明２について
　本件発明２についても、上記本件発明１についての判断と同様であり、それ故、本件発明２が、上記甲第１及び２号証のいずれかに記載された発明であるとも、また、それらの発明に基いて当業者が容易に発明をすることができたものであるとも、さらに、上記先願明細書に記載の発明と同一であるとも認めることはできない。
　
５．むすび
　以上のとおりであるから、本件特許異議申立ての理由及び証拠によっては、本件発明１及び２についての特許を取り消すことはできない。
　また、他に本件発明１及び２についての特許を取り消すべき理由を発見しない。
　よって、結論のとおり決定する。
【異議決定日】
平成１３年６月２１日（２００１．６．２１）